(57)【要約】【課題】画面の状態を適切に設定すること。【解決手段】実施の形態の情報表示装置では、色調記憶部は、画面の色調パターンを作業目的ごとに記憶する。表示部は、医用情報を含む画面を表示する。作業目的判定部は、周囲の明るさと利用者による操作内容とのうち少なくともいずれか一つに基づいて、利用者による作業目的を判定する。色調調整部は、前記作業目的判定部により判定された作業目的に対応する色調パターンを前記色調記憶部から取得し、取得した色調パターンを用いて前記表示部により表示される画面の色調を調整する。【選択図】図２
2012189790.tif 000002
【特許請求の範囲】
【請求項１】
画面の色調パターンを作業目的ごとに記憶する色調記憶部と、
医用情報を含む画面を表示する表示部と、
周囲の明るさと利用者による操作内容とのうち少なくともいずれか一つに基づいて、利用者による作業目的を判定する作業目的判定部と、
前記作業目的判定部により判定された作業目的に対応する色調パターンを前記色調記憶部から取得し、取得した色調パターンを用いて前記表示部により表示される画面の色調を調整する色調調整部と
を備えたことを特徴とする情報表示装置。
【請求項２】
利用者による操作部に対する操作内容を監視する操作内容監視部を更に備え、
前記作業目的判定部は、前記操作内容監視部により監視された操作内容に基づいて利用者が操作しているアプリケーションを判定し、判定したアプリケーションに関連付けられた作業目的を判定することを特徴とする請求項１に記載の情報表示装置。
【請求項３】
周囲の明るさを測定する明るさ測定部を更に備え、
前記作業目的判定部は、前記明るさ測定部により測定された周囲の明るさが閾値よりも低い場合に、読影目的であると判定することを特徴とする請求項１又は２に記載の情報表示装置。
【請求項４】
医用画像を含む画面を表示する表示部と、
前記表示部により表示される医用画像に含まれる色に基づいて、前記表示部により表示される画面の色調を調整する色調調整部と
を備えたことを特徴とする情報表示装置。
【請求項５】
前記色調調整部は、前記医用画像に含まれる色と補色関係にある色を含む色調パターンを用いて、前記画面の色調を調整することを特徴とする請求項４に記載の情報表示装置。
【請求項６】
前記色調調整部は、前記医用画像において利用者により注視される部分に含まれる色と補色関係にある色を含む色調パターンを用いて、前記画面の色調を調整することを特徴とする請求項５に記載の情報表示装置。
【請求項７】
医用情報を含む画面を複数表示する表示部と、
前記表示部により表示されている画面各々のうち、利用者による利用頻度が最も高い画面を選択する画面選択部と、
前記画面選択部により選択されなかった画面の明るさに関する値を、前記画面選択部により選択された画面の明るさに関する値に調整する明るさ調整部と
を備えたことを特徴とする画像診断装置。
【請求項８】
画面の色調パターンを作業目的ごとに記憶する色調記憶部と、
医用情報を含む画面を表示する表示部と、
周囲の明るさと利用者による操作内容とのうち少なくともいずれか一つに基づいて、利用者による作業目的を判定する作業目的判定部と、
前記作業目的判定部により判定された作業目的に対応する色調パターンを前記色調記憶部から取得し、取得した色調パターンを用いて前記表示部により表示される画面の色調を調整する色調調整部と
を備えたことを特徴とする画像診断装置。
【請求項９】
医用画像を含む画面を表示する表示部と、
前記表示部により表示される医用画像に含まれる色に基づいて、前記表示部により表示される画面の色調を調整する色調調整部と
を備えたことを特徴とする画像診断装置。
【請求項１０】
医用情報を含む画面を複数表示する表示部と、
前記表示部により表示されている画面各々のうち、利用者による利用頻度が最も高い画面を選択する画面選択部と、
前記画面選択部により選択されなかった画面の明るさに関する値を、前記画面選択部により選択された画面の明るさに関する値に調整する明るさ調整部と
を備えたことを特徴とする画像診断装置。
【請求項１１】
コンピュータに、
医用情報を含む画面を表示する表示手順と、
周囲の明るさと利用者による操作内容とのうち少なくともいずれか一つに基づいて、利用者による作業目的を判定する作業目的判定手順と、
画面の色調パターンを作業目的ごとに記憶する色調記憶部から、前記作業目的判定手順により判定された作業目的に対応する色調パターンを取得し、取得した色調パターンを用いて、医用情報を含む画面を表示する表示部により表示される画面の色調を調整する色調調整手順と
を実行させることを特徴とする情報表示プログラム。
【請求項１２】
コンピュータに、
医用画像を含む画面を表示する表示手順と、
前記表示手順により表示される医用画像に含まれる色に基づいて、前記表示手順により表示される画面の色調を調整する色調調整手順と
を実行させることを特徴とする情報表示プログラム。
【請求項１３】
コンピュータに、
医用情報を含む画面を複数表示する表示手順と、
前記表示手順により表示されている画面各々のうち、利用者による利用頻度が最も高い画面を選択する画面選択手順と、
前記画面選択手順により選択されなかった画面の明るさに関する値を、前記画面選択手順により選択された画面の明るさに関する値に調整する明るさ調整部と
を実行させることを特徴とする情報表示プログラム。
【請求項１４】
画面の色調パターンを作業目的ごとに記憶する色調記憶部と、
医用情報を含む画面を表示する表示部と、
周囲の明るさを検出する検出手段と、
前記検出手段の検出結果に基づいて色調パターンを前記色調記憶部から取得し、取得した色調パターンを用いて前記表示部により表示される画面の色調を調整する色調調整部と
を備えたことを特徴とする情報表示装置。
【発明の詳細な説明】
【技術分野】
【０００１】
本発明の実施の形態は、情報表示装置、画像診断装置及び情報表示プログラムに関する。
【背景技術】
【０００２】
医療現場には、各種の医用情報を画面に表示する表示装置がある。医用情報とは、例えば、被検体の医用画像や電子カルテなどである。表示装置は、照度の異なる様々な環境下で利用者に操作される。例えば、表示装置は、検査室や読影室などの暗室で利用者に操作され、診察室や待合室などの明るい部屋で利用者に操作される。また、表示装置は、様々な作業目的の下、利用者により利用される。
【０００３】
ここで、利用者の作業目的や利用者のＩＤが入力されると、入力された目的やＩＤに応じて画面の色調を変更する機能を有する表示装置がある。例えば、色調を変更する機能を有する表示装置は、利用者のＩＤと色調とを対応付けて記憶しておき、利用者のＩＤが入力されると、入力されたＩＤに対応付けられた色調に画面を変更する。
【先行技術文献】
【特許文献】
【０００４】
【特許文献１】特開２００９−１３９６２４号公報
【発明の概要】
【発明が解決しようとする課題】
【０００５】
しかしながら、上述した色調を変更する機能を有する表示装置では、画面の状態が適切でない場合がある。例えば、上述した色調を変更する機能を有する表示装置では、一人の利用者が様々な作業目的を実行したとしても、利用者のＩＤに対応付けられた色調に画面が変更されることになり、画面の色調が作業目的に適切にならないことがある。
【課題を解決するための手段】
【０００６】
実施の形態の情報表示装置は、色調記憶部と、表示部と、作業目的判定部と、色調調整部とを備える。色調記憶部は、画面の色調パターンを作業目的ごとに記憶する。表示部は、医用情報を含む画面を表示する。作業目的判定部は、周囲の明るさと利用者による操作内容とのうち少なくともいずれか一つに基づいて、利用者による作業目的を判定する。色調調整部は、前記作業目的判定部により判定された作業目的に対応する色調パターンを前記色調記憶部から取得し、取得した色調パターンを用いて前記表示部により表示される画面の色調を調整する。
【図面の簡単な説明】
【０００７】
【図１】図１は、第１の実施形態に係る情報表示装置を有する情報処理システムの一例を示すブロック図である。
【図２】図２は、第１の実施形態に係る情報表示装置の構成の一例を示すブロック図である。
【図３】図３は、第１の実施形態における表示部により表示される画面の一例を示す図である。
【図４】図４は、第１の実施形態における表示部により表示される画面の一例を示す図である。
【図５】図５は、第１の実施形態における色調情報テーブルに記憶された色調の一例を示す図である。
【図６】図６は、第１の実施形態における対応付け情報テーブルに記憶される対応付けの一例を示す図である。
【図７】図７は、第１の実施形態に係る情報表示装置による処理の流れの一例を示すフローチャートである。
【図８】図８は、第１の実施形態における作業目的判定部による判定処理の流れの一例を示すフローチャートである。
【図９】図９は、第２の実施形態に係る情報表示装置の構成の一例を示すブロック図である。
【図１０】図１０は、第２の実施形態における対応付け情報テーブルに記憶された情報の一例を示す図である。
【図１１】図１１は、色相関の一例を示す図である。
【図１２】図１２は、心臓を含む超音波画像の一例を示す図である。
【図１３】図１３は、第２の実施形態に係る情報表示装置による処理の流れの一例を示すフローチャートである。
【図１４】図１４は、第３の実施形態に係る情報表示装置の構成の一例を示すブロック図である。
【図１５】図１５は、第３の実施形態における表示部により表示される画面各々の一例を示す図である。
【図１６】図１６は、第３の実施形態における明るさを示す値ごとの分布の関係を示す図である。
【図１７】図１７は、第３の実施形態に係る情報表示装置による処理の詳細な一例を示すフローチャートである。
【発明を実施するための形態】
【０００８】
（第１の実施形態）
（第１の実施形態に係る情報表示装置の構成）
第１の実施形態に係る情報表示装置１００について説明する。図１は、第１の実施形態に係る情報表示装置を有する情報処理システムの一例を示すブロック図である。図１に示すように、情報処理システムは、画像診断装置１０と、電子カルテサーバ２０と、画像用サーバ３０と、会計用サーバ４０と、レポート用サーバ４１と、情報表示装置１００とを有する。また、画像処理システムでは、画像診断装置１０と電子カルテサーバ２０と画像用サーバ３０と会計用サーバ４０とレポート用サーバ４１と情報表示装置１００とは、ネットワーク５０を介して相互に接続される。
【０００９】
なお、図１に示す例では、情報処理システムが、画像診断装置１０と、電子カルテサーバ２０と、画像用サーバ３０と、会計用サーバ４０と、レポート用サーバ４１とを有する場合を例に示したが、これに限定されるものではない。例えば、電子カルテサーバ２０と画像用サーバ３０と会計用サーバ４０とレポート用サーバ４１とのうち、任意のサーバがなくても良く、他の任意のサーバを追加しても良い。
【００１０】
画像診断装置１０は、被検体の医用画像を撮影する。画像診断装置１０は、例えば、Ｘ線診断装置、Ｘ線ＣＴ（Cputed  Tomography）装置、超音波診断装置、磁気共鳴画像診断装置、核医学診断装置などが該当する。電子カルテサーバ２０は、被検体の電子カルテデータである電子カルテデータを記憶する。画像用サーバ３０は、被検体の医用画像を記憶する。画像用サーバ３０は、画像診断装置１０により撮影された医用画像を蓄積する。会計用サーバ４０は、被検体に請求される請求金額を算出する。レポート用サーバ４１は、医用レポートを記憶する。例えば、レポート用サーバ４１は、医師によって入力された被検体についての所見を含む医用レポートを記憶する。
【００１１】
情報表示装置１００は、画像診断装置１０と電子カルテサーバ２０と画像用サーバ３０と会計用サーバ４０とレポート用サーバ４１とから情報を取得し、取得した情報を利用者に表示する。なお、情報表示装置１００は、例えば、ＰＡＣＳ（Picture  Archiving  and  Communication  System）やＨＩＳ（Hospital  Information  System）、ＲＩＳ（Radiology  Information  System）などにおけるクライアント端末が該当する。
【００１２】
情報表示装置１００は、利用者からの操作を受け付けると、受け付けた操作により特定される情報を取得して表示する。例えば、情報表示装置１００は、画像診断装置１０により撮影された医用画像を取得し、取得した医用画像を利用者に表示する。また、例えば、情報表示装置１００は、電子カルテサーバ２０から電子カルテデータを取得し、取得した電子カルテデータを表示する。また、例えば、情報表示装置１００は、画像用サーバ３０に蓄積された医用画像を取得し、取得した医用画像を表示する。また、例えば、情報表示装置１００は、会計用サーバ４０から請求金額を取得し、取得した請求金額を利用者に表示する。また、例えば、情報表示装置１００は、レポート用サーバ４１から医用レポートを取得し、利用者に表示する。
【００１３】
なお、以下では、情報表示装置１００が、利用者からの操作を受け付け、受け付けた操作により特定される情報を取得して表示する場合を例に説明するが、これに限定されるものではない。例えば、情報表示装置１００は、利用者からの操作を受け付けなくても良い。この場合、情報表示装置１００は、画像診断装置１０や電子カルテサーバ２０、画像用サーバ３０、若しくは会計用サーバ４０から各種の情報を受信し、受信した情報を表示する。言い換えると、情報表示装置１００は、画像診断装置１０や電子カルテサーバ２０などにより一方的に配信された情報を表示する一方、画像診断装置１０や電子カルテサーバ２０などに自ら情報を要求して情報を取得しなくても良い。
【００１４】
図２は、第１の実施形態に係る情報表示装置の構成の一例を示すブロック図である。図２に示す例では、情報表示装置１００は、通信部１０１と、操作部１０２と、表示部１０３と、環境光センサ１０４と、記憶部１１０と、制御部１２０とを有する。
【００１５】
通信部１０１は、制御部１２０と接続される。通信部１０１は、制御部１２０によって制御されることで、ネットワーク５０を介して他の装置と情報を送受信する。例えば、通信部１０１は、画像診断装置１０と電子カルテサーバ２０と画像用サーバ３０と会計用サーバ４０と情報を送受信する。
【００１６】
操作部１０２は、制御部１２０と接続される。操作部１０２は、利用者からの操作を受け付け、受け付けた操作内容を制御部１２０に送信する。操作部１０２は、例えば、キーボードやマウス、マイクなどが該当する。
【００１７】
表示部１０３は、制御部１２０と接続される。表示部１０３は、制御部１２０から情報を受信し、受信した情報を利用者に表示する。表示部１０３は、モニタが該当する。表示部１０３は、医用情報を含む画面を表示する。図３や図４は、第１の実施形態における表示部により表示される画面の一例を示す図である。図３は、医用画像を表示する画面の一例を示す。図３の６０は、医用画像を撮影された被検体の一覧を示す。図３の６１は、画面領域６０において選択された被検体について撮影された医用画像各々を示す画面領域を示す。図３の６２は、画面領域６１に表示される医用画像のうち選択された医用画像を示す。
【００１８】
図４は、電子カルテを表示する画面の一例を示す。図４の画面領域６３は、被検体の識別情報を表示する画面領域を示す。画面領域６３には、例えば、被検体の名前や性別、年齢などが表示される。図４の画面領域６４は、画面領域６３に表示された被検体の病名を表示する画面領域を示す。図４の画面領域６５は、画面領域６３に表示された被検体についての診療情報を表示する画面領域を示す。例えば、部分領域６３内にある図４の医用画像６６は、被検体について撮影された医用画像である。図４の画面領域６７は、画面領域６３に表示された被検体について処方された薬を表示する画面領域である。図４の画面領域６８は、画面領域６３に表示された被検体についての診療情報を入力する画面領域である。
【００１９】
図２の説明に戻る。環境光センサ１０４は、制御部１２０と接続される。環境光センサ１０４は、周囲の明るさを計測し、計測結果を制御部１２０に送信する。なお、通信部１０１によって送受信される情報の詳細、操作部１０２による操作内容の詳細、表示部１０３によって出力される情報の詳細、環境光センサ１０４によって出力される計測結果の詳細については、ここでは説明を省略し、制御部１２０について説明する際に併せて説明する。
【００２０】
記憶部１１０は、制御部１２０と接続される。記憶部１１０は、制御部１２０による各種処理に用いるデータを記憶する。記憶部１１０は、例えば、ＲＡＭ（Random  Access  Memory）やＲＯＭ（Read  Only  Memory）、フラッシュメモリ（Flash  Memory）などの半導体メモリ素子、又は、ハードディスクや光ディスクなどが該当する。記憶部１１０は、図２に示す例では、色調情報テーブル１１１と、対応付け情報テーブル１１２とを有する。
【００２１】
色調情報テーブル１１１は、画面の色調パターンを記憶する。例えば、色調情報テーブル１１１は、暗色の色調パターンを記憶し、中間色の色調パターンを記憶し、明色の色調パターンを記憶する。
【００２２】
図５は、第１の実施形態における色調情報テーブルに記憶された色調の一例を示す図である。図５に示すように、色調情報テーブル１１１は、色調ＩＤ（Identifier）に対応付けて色調パターンを記憶する。なお、色調ＩＤは、色調パターン各々を識別する識別子である。図５に示す例では、色調情報テーブル１１１は、色調ＩＤ「色調１」に対応付けて、色調パターンとして、「背景  ＲＧＢ＝（＃１，＄１，＆１）」「編集可能文字  ＲＧＢ＝（＃２，＄２，＆２）」などを記憶する。すなわち、色調情報テーブル１１１は、「色調１」においては、背景の色が「ＲＧＢ＝（＃１，＄１，＆１）」であることを記憶し、編集可能文字の色が「ＲＧＢ＝（＃２，＄２，＆２）」であることを記憶する。
【００２３】
なお、図５では、背景や編集可能文字の色を「Ｒ（レッド）」「Ｇ（グリーン）」「Ｂ（ブルー）」の３色の各階調値で示す場合を例に示した。図５の「＃１」「＄１」「＆１」などは、それぞれ、階調値を示す。なお、図５に示した色調情報テーブル１１１に記憶された色調は一例であり、これに限定されるものではない。例えば、図５に示す例では、ＲＧＢの３色の階調値を用いる場合を例に示したが、これに限定されるものではなく、Ｒ（レッド）Ｇ（グリーン）Ｂ（ブルー）Ａ（透明度）表色系、Ｙ（輝度）Ｃｂ（青の差分）Ｃｒ（赤の差分）表色系、Ｃ（シアン）Ｍ（マゼンダ）Ｙ（イエロー）などの任意の色を用いて良い。また、図５に示す例では、背景や編集可能文字などについてＲＧＢを記憶する場合を例に示したが、これに限定されるものではなく、前景や編集不可文字など、情報表示装置１００の画面にて表示される項目のうち任意の項目について記憶して良い。
【００２４】
図２の説明に戻る。対応付け情報テーブル１１２は、画面の色調パターンを作業目的ごとに記憶する。対応付け情報テーブル１１２や色調情報テーブル１１１は、「色調記憶部」とも称する。具体的には、対応付け情報テーブル１１２は、作業目的ごとに色調ＩＤを記憶する。
【００２５】
図６は、第１の実施形態における対応付け情報テーブルに記憶される対応付けの一例を示す図である。図６に示すように、対応付け情報テーブル１１２は、アプリケーションごとに、作業目的と色調ＩＤとを対応付けて記憶する。図６に示す例では、作業目的として、医療画像の読影を行う「読影目的」と、被検体の診断を行う「診断目的」、会計を行う「会計目的」とを用いる場合を示した。また、図６に示す例では、アプリケーションとして、診療についての情報を入力するアプリケーションを示す「診療入力」や、会計についての情報を入力するアプリケーションを示す「会計入力」、被検体についての検査内容や検査結果などを表示するアプリケーションを示す「検査表示」、被検体が入力することを登録するアプリケーションを示す「入院登録」、医療画像を表示するアプリケーションを示す「医療画像表示」などを用いる場合を示した。
【００２６】
例えば、対応付け情報テーブル１１２は、アプリケーション「診療入力」に対応付けて、作業目的「読影目的」と色調ＩＤ「色調１」とを対応付けて記憶し、作業目的「診断目的」と色調ＩＤ「色調２」とを対応付けて記憶し、作業目的「会計目的」と色調ＩＤ「色調３」とを対応付けて記憶する。すなわち、対応付け情報テーブル１１２は、アプリケーション「診療入力」について、読影時には「色調１」にすることを記憶し、診断時には「色調２」にすることを記憶し、会計時には「色調３」にすることを記憶する。
【００２７】
ここで、対応付け情報テーブル１１２により作業目的に対応付けられた色調について説明する。例えば、利用者は、読影室にて読影をすることが多い。ここで、読影室は、画像の明暗を出来るだけ明確に利用者が確認することを目的として、暗い部屋となる傾向がある。このため、暗い読影室においても利用者が読影に集中できるように、作業目的「読影目的」に対応付けられた色調は、全体的に暗い配色となる。同様に、作業目的「会計目的」や「診断目的」についても、それぞれの作業目的にて作業が行われる環境下において、利用者にとって適切な画面の色調が対応付けられる。
【００２８】
図２の説明に戻る。制御部１２０は、通信部１０１、操作部１０２、表示部１０３、環境光センサ１０４及び記憶部１１０と接続される。制御部１２０は、各種の処理手順などを規定したプログラムを記憶する内部メモリを有し、種々の処理を制御する。制御部１２０は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などが該当する。制御部１２０は、図２に示す例では、表示制御部１２１と、操作内容監視部１２２と、作業目的判定部１２３と、色調調整部１２４とを有する。
【００２９】
表示制御部１２１は、表示部１０３を制御することで、医用情報を含む画面を表示部１０３に表示する。表示制御部１２１は、１つ又は複数の画面を表示部１０３に表示する。
【００３０】
具体的には表示制御部１２１は、利用者によって操作部１０２が操作されると、利用者による操作内容により特定される医用情報を含む画像を、表示部１０３に表示する。例えば、操作部１０２が、アプリケーション「会計入力」を起動する操作を利用者から受け付けた場合を用いて説明する。この場合、表示制御部１２１は、アプリケーション「会計入力」の画面を表示部１０３に表示する。すなわち、表示制御部１２１は、会計用サーバ４０と情報を送受信することで、アプリケーション「会計入力」の画面を会計用サーバ４０から取得し、取得した画面を表示部１０３に表示する。
【００３１】
なお、以下では、表示制御部１２１が、医用情報を含む画面を各種サーバから取得し、取得した画面を表示部１０３に表示する場合を用いて説明する。言い換えると、情報表示装置１００がアプリケーションを実行するのではなく、画像診断装置１０や電子カルテサーバ２０、画像用サーバ３０若しくは会計用サーバ４０がアプリケーションを実行する場合を用いて説明する。つまり、情報表示装置１００の表示制御部１２１が、画像診断装置１０や電子カルテサーバ２０、画像用サーバ３０若しくは会計用サーバ４０による処理結果となる画面を受信し、表示部１０３に表示する場合を用いて説明する。ただし、情報表示装置１００はこれに限定されるものではなく、情報表示装置１００自身がアプリケーションを実行して画面を生成し、生成した画面を表示しても良い。例えば、アプリケーション「会計入力」を起動する操作を操作部１０２が利用者から受け付けると、表示制御部１２１は、アプリケーション「会計入力」の画面を生成し、会計用サーバ４０から取得した医用情報を生成した画面内に表示しても良い。
【００３２】
操作内容監視部１２２は、操作部１０２に対する利用者の操作内容を監視する。例えば、操作内容監視部１２２は、複数ある画面のうち利用者により現に選択されているアクティブな画面を監視したり、利用者により操作されるマウス座標に対応する画面を監視したり、利用者による操作により起動されたアプリケーションが何であるかを監視したりする。また、操作内容監視部１２２は、利用者が画面を利用している時間を監視する。例えば、操作内容監視部１２２は、表示部１０３に複数の画面が表示されている場合には、アプリケーションそれぞれに対応する画面ごとに、利用者による操作時間を監視する。
【００３３】
作業目的判定部１２３は、周囲の明るさと利用者による操作内容とのうち少なくともいずれか一つに基づいて、利用者による作業目的を判定する。具体的には、作業目的判定部１２３は、操作内容監視部１２２により監視された操作内容に基づいて利用者が操作しているアプリケーションを判定し、判定したアプリケーションに関連付けられた作業目的を判定する。例えば、作業目的判定部１２３は、アプリケーション「会計入力」又は「入院登録」を利用者が操作していると判定した場合には、作業目的「会計目的」であると判定する。つまり、作業目的判定部１２３は、会計目的に対応するアプリケーションを利用者が利用中であると判定した場合には、作業目的が会計目的であると判定する。また、例えば、作業目的判定部１２３は、アプリケーション「診療入力」又は「検査表示」、「医療画像表示」を利用者が操作していると判定した場合には、作業目的「診断目的」であると判定する。つまり、作業目的判定部１２３は、診断目的に対応するアプリケーションを利用者が利用中であると判定した場合には、作業目的が診断目的であると判定する。なお、ここで説明した関連付けは一例であり、これに限定されるものではない。
【００３４】
また、具体的には、作業目的判定部１２３は、周囲の明るさが閾値よりも低い場合に、読影目的であると判定する。例えば、作業目的判定部１２３は、環境光センサ１０４により測定された周囲の明るさが、予め設定された閾値より低い場合には、作業目的が読影目的であると判定する。すなわち、利用者は、読影室にて読影をすることが多い。ここで、読影室は、画像の明暗を出来るだけ明確に利用者が確認することを目的として、暗い部屋となる傾向がある。このことを踏まえ、環境光センサ１０４により計測された室内の明るさが閾値より暗い場合に、作業目的判定部１２３は、作業目的が読影目的であると判定する。なお、作業目的判定部１２３は、アプリケーションが「医療画像表示」であり、かつ周囲の明るさが閾値よりも低い場合に、読影目的であると判定しても良い。
【００３５】
作業目的判定部１２３は、任意の処理開始タイミングにて、判定処理を開始する。例えば、作業目的判定部１２３は、操作部１０２が利用者による操作を受け付けるごとに判定処理を実行し、又は、予め設定された時間間隔ごとに判定処理を実行する。なお、作業目的判定部１２３による詳細な処理の流れの一例については、フローチャートを用いて後述する。
【００３６】
色調調整部１２４は、作業目的判定部１２３により判定された作業目的に対応する色調パターンを対応付け情報テーブル１１２や色調情報テーブル１１１から取得し、取得した色調パターンを用いて表示部１０３により表示される画面の色調を調整する。具体的には、色調調整部１２４は、表示部１０３に表示されている画面のアプリケーションについて、作業目的判定部１２３により判定された作業目的に対応する色調ＩＤを対応付け情報テーブル１１２から取得する。そして、色調調整部１２４は、取得した色調ＩＤに対応付けられた色調パターンを色調情報テーブル１１１から取得し、取得した色調パターンに基づいて画面の色調を調整する。
【００３７】
例えば、作業目的判定部１２３により作業目的が「読影目的」であると判定された場合を用いて説明する。また、表示部１０３により、アプリケーション「診療入力」の画面とアプリケーション「医療画像表示」の画面とが表示されている場合を用いて説明する。この場合、色調調整部１２４は、対応付け情報テーブル１１２から、アプリケーション「診療入力」に対応付けられた色調のうち、「読影目的」に対応付けられた「色調１」を取得する。また、色調調整部１２４は、対応付け情報テーブル１１２から、アプリケーション「医療画像表示」に対応付けられた色調のうち、「読影目的」に対応付けられた「色調１」を取得する。また、色調調整部１２４は、色調情報テーブル１１１から、色調ＩＤ「色調１」の色調パターンを取得する。例えば、色調調整部１２４は、色調ＩＤ「色調１」に対応付けられた「背景  ＲＧＢ＝（＃１，＄１，＆１）」や「編集可能文字  ＲＧＢ＝（＃２，＄２，＆２）」などを取得する。そして、色調調整部１２４は、アプリケーション「診療入力」の画面及びアプリケーション「医療画像表示」の画面について、背景や編集可能文字の色調を、色調情報テーブル１１１から取得した色調パターンに調整する。
【００３８】
なお、情報表示装置１００は、既知のパーソナルコンピュータ、又はＰＤＡ（Personal  Digital  Assistant）などの情報処理装置を利用して実現しても良い。例えば、ＰＤＡなどの情報処理装置に、図２に示した環境光センサ１０４や記憶部１１０、制御部１２０などの各機能を搭載することによって実現しても良い。また、その際には、記憶部１１０については、ＰＤＡなどの情報処理装置に搭載するのではなく、ＰＤＡなどの情報処理装置の外部装置として、ネットワークを介して接続されるようにしても良い。
【００３９】
（第１の実施形態に係る情報表示装置による処理）
図７を用いて、第１の実施形態に係る情報表示装置１００による処理の流れの一例を示す。図７は、第１の実施形態に係る情報表示装置による処理の流れの一例を示すフローチャートである。
【００４０】
図７に示すように、情報表示装置１００では、作業目的判定部１２３は、処理開始タイミングとなると（ステップＳ１０１  Ｙｅｓ）、判定処理を実行する（ステップＳ１０２）。つまり、作業目的判定部１２３は、周囲の明るさと利用者による操作内容とのうち少なくともいずれか一つに基づいて、利用者による作業目的を判定する。
【００４１】
そして、色調調整部１２４は、作業目的判定部１２３により判定された作業目的に対応する色調パターンを取得する（ステップＳ１０３）。例えば、アプリケーション「医療画像表示」の画面が表示部１０３に表示されており、作業目的判定部１２３により作業目的が「読影目的」であると判定された場合を用いて説明する。この場合、色調調整部１２４は、アプリケーション「医療画像表示」に対応付けられた色調ＩＤのうち、読影目的に対応付けられた色調ＩＤ「色調１」を対応付け情報テーブル１１２から取得する。そして、色調調整部１２４は、取得した色調ＩＤ「色調１」に対応付けられた色調を色調情報テーブル１１１から取得する。そして、色調調整部１２４は、取得した色調パターンを用いて表示部１０３により表示される画面の色調を調整する（ステップＳ１０４）。
【００４２】
（第１の実施形態における作業目的判定部による処理）
図８を用いて、第１の実施形態における作業目的判定部１２３による判定処理の流れの一例を示す。図８は、第１の実施形態における作業目的判定部による判定処理の流れの一例を示すフローチャートである。なお、図８に示す一連の処理は、図７におけるステップＳ１０２に対応する。
【００４３】
図８に示すように、作業目的判定部１２３は、周囲の明るさが閾値以下であるかを判定する（ステップＳ２０１）。つまり、作業目的判定部１２３は、環境光センサ１０４により測定された周囲の明るさが、予め設定された閾値より低いか否かを判定する。ここで、作業目的判定部１２３は、低いと判定した場合には（ステップＳ２０１  Ｙｅｓ）、作業目的が読影目的であると判定する（ステップＳ２０２）。
【００４４】
一方、作業目的判定部１２３は、周囲の明るさが閾値以下であると判定しなかった場合には（ステップＳ２０１Ｎｏ）、診断目的に対応するアプリケーションを利用者が利用中であるかを判定する（ステップＳ２０３）。つまり、作業目的判定部１２３は、操作内容監視部１２２により監視された操作内容に基づいて利用者が操作しているアプリケーションを判定し、判定したアプリケーションに関連付けられた作業目的が診断目的であるかを判定する。ここで、作業目的判定部１２３は、診断目的に対応するアプリケーションであると判定した場合には（ステップＳ２０３  Ｙｅｓ）、作業目的が診断目的であると判定する（ステップＳ２０４）。例えば、作業目的判定部１２３は、アプリケーション「診療入力」や「検査表示」、「医療画像表示」を利用者が操作していると判定した場合には、作業目的「診断目的」であると判定する。
【００４５】
一方、作業目的判定部１２３は、診断目的に対応するアプリケーションでないと判定した場合には（ステップＳ２０３Ｎｏ）、会計目的に対応するアプリケーションを利用者が利用中であるかを判定する（ステップＳ２０５）。ここで、作業目的判定部１２３は、会計目的に対応するアプリケーションであると判定した場合には（ステップＳ２０５  Ｙｅｓ）、作業目的が会計目的であると判定する（ステップＳ２０６）。例えば、作業目的判定部１２３は、アプリケーション「会計入力」や「入院登録」を利用者が操作していると判定した場合には、作業目的「会計目的」であると判定する。
【００４６】
一方、会計目的に対応するアプリケーションでないと判定した場合に（ステップＳ２０５Ｎｏ）、作業目的判別部１２３は、処理を終了する。なお、図８に示す例では、会計目的に対応するアプリケーションでないと判定した場合に（ステップＳ２０５Ｎｏ）、そのまま処理が終了する場合を例に示したが、これに限定されるものではなく、ステップＳ２０１に戻って処理を繰り返しても良い。
【００４７】
また、上述の処理手順は、上述の順番に限定されるものではなく、処理内容を矛盾させない範囲で適宜変更しても良い。例えば、図８に示す例では、周囲の明るさが閾値以下であるかを判定し、その後、診断目的に対応するアプリケーションであるかを判定し、続いて、会計目的に対応するアプリケーションであるかを判定する場合を用いて説明したが、これに限定されるものではない。より詳細な一例をあげて説明すると、作業目的判定部１２３は、周囲の明るさが閾値以下であるかを判定する処理と、診断目的に対応するアプリケーションであるかを判定する処理と、会計目的に対応するアプリケーションであるかを判定する処理とについて、任意の順番で行って良い。
【００４８】
また、図８に示す例では、作業目的判定部１２３は、周囲の明るさが閾値以下であるかを判定する処理と、診断目的に対応するアプリケーションであるかを判定する処理と、会計目的に対応するアプリケーションであるかを判定する処理とを含むフローチャートを示したが、これに限定されるものではない。例えば、作業目的判定部１２３は、周囲の明るさが閾値以下であるかを判定する処理と、診断目的に対応するアプリケーションであるかを判定する処理と、会計目的に対応するアプリケーションであるかを判定する処理とのうち、一部のみを実行しても良い。また、例えば、作業目的判定部１２３は、他の判定処理を更に追加しても良い。
【００４９】
（第１の実施形態による効果）
上述したように、第１の実施形態によれば、情報表示装置１００は、画面の色調を作業目的ごとに記憶する。また、情報表示装置１００は、医用情報を含む画面を表示する。また、情報表示装置１００は、周囲の明るさと利用者による操作内容とのうち少なくともいずれか一つに基づいて、利用者による作業目的を判定する。また、情報表示装置１００は、判定した作業目的に対応する色調を取得し、取得した色調を用いて表示部により表示される画面の色調を調整する。この結果、第１の実施形態によれば、画面の状態を適切に設定することが可能である。具体的には、１人の利用者が複数の作業目的を実行する者であったとしても、作業目的に適切な色調を設定可能である。
【００５０】
また、第１の実施形態によれば、情報表示装置１００は、利用者による操作部１０２に対する操作内容を監視し、監視された操作内容に基づいて利用者が操作しているアプリケーションを判定し、判定したアプリケーションに関連付けられた作業目的を判定する。この結果、第１の実施形態によれば、利用者に負荷をかけることなく、作業目的に適切な色調に設定可能である。
【００５１】
また、第１の実施形態によれば、情報表示装置１００は、周囲の明るさを測定し、周囲の明るさが閾値よりも低い場合に、読影目的であると判定する。この結果、第１の実施形態によれば、読影時に適切な色調を設定可能である。例えば、読影室での読影時に、利用者に負荷をかけることなく、画面の明るさを抑えることが可能である。
【００５２】
（第２の実施形態）
第２の実施形態に係る情報表示装置２００について説明する。情報表示装置２００は、以下に詳細に説明するように、表示部１０３により表示される医用画像に含まれる色に基づいて、表示部１０３により表示される画面の色調を調整する。なお、以下では、第１の実施形態に係る情報表示装置と同様の点については、情報表示装置１００と同じ符号を付し、説明を省略する。
【００５３】
図９は、第２の実施形態に係る情報表示装置の構成の一例を示すブロック図である。図９に示すように、情報表示装置２００は、通信部１０１と、操作部１０２と、表示部１０３と、記憶部２１０と、制御部２２０とを有する。
【００５４】
記憶部２１０は、制御部２２０と接続される。記憶部２１０は、制御部２２０による各種処理に用いるデータを記憶する。記憶部２１０は、例えば、ＲＡＭやＲＯＭ、フラッシュメモリなどの半導体メモリ素子、又は、ハードディスクや光ディスクなどが該当する。記憶部２１０は、図９に示す例では、色調情報テーブル１１１と、対応付け情報テーブル２１１とを有する。
【００５５】
対応付け情報テーブル２１１は、医用画像に含まれる色に対応付けて、色調ＩＤを記憶する。図１０は、第２の実施形態における対応付け情報テーブルに記憶された情報の一例を示す図である。図１０に示すように、対応付け情報テーブル２１１は、医用画像に含まれる色「赤」に対応付けて色調ＩＤ「色調１１」を記憶し、医用画像に含まれる色「青」に対応付けて色調ＩＤ「色調１２」を記憶する。
【００５６】
ここで、補色残像について説明した上で、第２の実施形態における対応付け情報テーブル１１２の色調ＩＤにより識別される色調パターンについて更に説明する。まず、補色残像について説明する。補色残像とは、ある色を長時間見た後に別の色を見ると、最初に見た色の残像が見える現象を示す。例えば、手術中の医師は、患者の内臓や血などの赤い場所を長期間見た後、赤くない別の場所を見ると、補色残像として青や緑色が見えることがある。補色残像が見えることで手術ミスにつながることもあり、補色残像を抑えることが重要となる。また、補色残像により見える色は、色相関において、長時間見た色と対角にある色となる。
【００５７】
図１１は、色相関の一例を示す図である。図１１において、色７０〜色８１は、それぞれ色を示す。例えば、図１１において、色７０は黄色を示し、色７１は黄緑色を示し、色７２は緑色を示し、色７３はシアン色を示し、色７４は水色を示し、色７５は青色を示し、色７６は紫色を示し、色７７は薄紫色を示し、色７８はマゼンダ色を示し、色７９は赤色を示し、色８０はオレンジ色を示し、色８１はベージュ色を示す。図１１に示す例では、赤色である色７９を長時間見た後に利用者が赤色以外の場所を見ると、色７９から見て対角の位置にある色７３であるシアン色が利用者に補色残像により見えることになる。また、補色残像は、色相関における対角の色を見ることで、軽減することが可能となる。このことを踏まえ、例えば、手術服の色は、赤を長時間見続けた医師への残像を軽減させることを目的として青緑色であることが多い。なお、以下では、色相関における対角の色を「補色関係にある色」とも称する。
【００５８】
上述した補色残像を踏まえた上で、第２の実施形態における対応付け情報テーブル１１２の色調ＩＤにより識別される色調パターンについて説明する。上述したように、補色残像を抑えることは重要であり、色相関における対角の色を見ることで補色残像を軽減することが可能であることを踏まえ、対応付け情報テーブル２１１は、医用画像に含まれる色に対応付けて、補色関係にある色を含む色調パターンを記憶する。すなわち、図１０に示す例では、医用画像に含まれる色「赤」に対応付けられた色調ＩＤ「色調１１」により示される色調パターンは、赤と補色関係にある色となるシアン色や青、緑色などを含む色調パターンとなる。また、同様に、医用画像に含まれる色「青」に対応付けられた色調ＩＤ「色調１２」により示される色調パターンは、青と補色関係にある色となる黄色などを含む色調パターンとなる。
【００５９】
すなわち、第２の実施形態における情報表示装置２００は、以下に説明するように、表示部１０３により表示された画面の色調を、補色関係にある色を含む色調にすることで、利用者の補色残像を軽減可能となる。
【００６０】
図９の説明に戻る。制御部２２０は、通信部１０１、操作部１０２、表示部１０３及び記憶部２１０と接続される。制御部２２０は、各種の処理手順などを規定したプログラムを記憶する内部メモリを有し、種々の処理を制御する。制御部２２０は、例えば、ＡＳＩＣ、ＦＰＧＡ、ＣＰＵ、ＭＰＵなどが該当する。制御部２２０は、図９に示す例では、表示制御部２２１と、対象色選択部２２２と、色調調整部２２３とを有する。
【００６１】
表示制御部２２１は、表示部１０３を制御することで、医用画像を含む画面を表示部１０３に表示する。また、その際、表示制御部２２１は、表示部１０３に表示させる医用画像を含む画面を対象色選択部２２２にも送る。なお、表示制御部２２１のその他の点については、表示制御部１２１と同様であり、説明を省略する。
【００６２】
対象色選択部２２２は、表示部１０３により表示される医用画像に含まれる色を選択する。具体的には、対象色選択部２２２は、医用画像において利用者により注視される部分に含まれる色を選択する。より詳細には、対象色選択部２２２は、医用画像において利用者により注視される部分に含まれる色のうち、利用者により注視される部分において占める割合が他の色と比較して最も大きい色を選択する。
【００６３】
図１２に示す医用画像を用いて、対象色選択部２２２について更に説明する。図１２は、心臓を含む超音波画像の一例を示す。図１２に示す例では、Ｂモードの画像上に、利用者により指定された領域８２における流速変化を色で示したカラードプラモードの超音波画像の一例を示した。図１２においては、領域８２において、部分領域８３は青色であり、部分領域８４は黄色であり、部分領域８５は水色である場合を用いて説明する。また、領域８２において、青色系の占める割合は、黄色系の占める割合と比較して大きい場合を用いて説明する。この場合、対象色選択部２２２は、利用者により注視される部分となる領域８２において、占める割合が他の色と比較して最も大きい色として「青色」を選択する。
【００６４】
なお、対象色選択部２２２は、利用者による操作内容を用いて、医用画像において利用者により注視される部分を特定しても良い。例えば、表示部１０３に医用画像を含む画面が複数表示されている場合に、対象色選択部２２２は、利用者により操作される割合が他の画面と比較して最も大きい画面を、利用者による操作内容に基づいて選定しても良い。この場合、対象色選択部２２２は、選定された画面内にある医用画像から、色を選定する。
【００６５】
また、利用者が医用画像を目視している時間が短い場合や、利用者が医用画像を見ていない場合には、補色残像が発生しない。このことを踏まえ、対象色選択部２２２は、利用者が医用画像を目視している時間が短かい場合や、利用者が医用画像を見ていない場合には、色を選択しなくても良い。つまり、この場合、情報表示装置２００は、表示部１０３により表示されている色に基づいて、色調を調整しない。
【００６６】
利用者が医用画像を目視している時間が短い場合であると判定する手法の一例を示す。例えば、対象色選択部２２２は、医用画像が表示されている時間を計測する。そして、対象色選択部２２２は、医用画像が表示されてから経過した時間が閾値を超えたか否かを定期的に判定する。ここで、対象色選択部２２２は、所定の時間が経過したと判定しなかった場合には、利用者が医用画像を目視している時間が短いと判定し、色を選択しない。一方、対象色選択部２２２は、所定の時間が経過したと判定した場合には、色を選択する。
【００６７】
利用者が医用画像を見ていない場合であると判定する手法の一例を示す。例えば、対象色選択部２２２は、複数の画面が表示されている場合に、利用者による操作内容が、医用画像を含まない画面に対して行われている場合に、利用者が医用画像を見ていないと判定する。
【００６８】
色調調整部２２３は、表示部１０３により表示される医用画像に含まれる色に基づいて、表示部により表示される画面の色調を調整する。具体的には、色調調整部２２３は、医用画像に含まれる色と補色関係にある色を含む色調パターンを用いて、画面の色調を調整する。更に詳細に説明すると、色調調整部２２３は、医用画像において利用者により注視される部分に含まれる色と補色関係にある色を含む色調パターンを用いて、画面の色調を調整する。
【００６９】
対象色選択部２２２により「青色」が選択された場合を用いて説明する。この場合、色調調整部２２３は、対象色選択部２２２により選択された「青色」に対応付けられた色調ＩＤを対応付け情報テーブル２１１から取得する。図１０に示す例では、色調調整部２２３は、「青色」に対応付けられた色調ＩＤ「色調１２」を取得する。そして、色調調整部２２３は、取得した色調ＩＤ「色調１２」に対応付けられた色調パターンを色調情報テーブル１１１から取得し、取得した色調パターンを用いて画面の色調を調整する。例えば、色調調整部２２３は、画面が緑色を含む色調になるように調整する。
【００７０】
ここで、色調調整部２２３は、医用画像を表示している領域以外の部分について、画面色調を調整する。すなわち、利用者が注視している医用画像については、色調を変更すると利用者が混乱したり、医用画像内に示されるデータの意味が変化したりする可能性があることを踏まえ、色調を調整しない。
【００７１】
なお、情報表示装置２００は、情報表示装置１００と同様に、既知のパーソナルコンピュータ、又はＰＤＡ（Personal  Digital  Assistant）などの情報処理装置を利用して実現しても良い。
【００７２】
（第２の実施形態に係る情報表示装置による処理）
図１３を用いて、第２の実施形態に係る情報表示装置２００による処理の流れの一例を示す。図１３は、第２の実施形態に係る情報表示装置による処理の流れの一例を示すフローチャートである。
【００７３】
図１３に示すように、情報表示装置２００では、対象色選択部２２２は、処理開始タイミングとなると（ステップＳ３０１  Ｙｅｓ）、対象となる色を選択する（ステップＳ３０２）。つまり、対象色選択部２２２は、医用画像において利用者により注視される部分に含まれる色のうち、利用者により注視される部分において占める割合が他の色と比較して最も大きい色を選択する。例えば、対象色選択部２２２は、医用画像のうち利用者が注視する領域において青色が占める割合が他の色と比較して最も多い場合には、「青色」を選択する。
【００７４】
そして、色調調整部２２３は、選択した色に対応する色調パターンを取得する（ステップＳ３０３）。例えば、色調調整部２２３は、対象色選択部２２２により選択された「青色」に対応付けられた色調ＩＤ「色調１２」を対応付け情報テーブル２１１から取得し、色調ＩＤ「色調１２」に対応付けられた色調パターンを色調情報テーブル１１１から取得する。
【００７５】
そして、色調調整部２２３は、色調情報テーブル１１１から取得した色調パターンを用いて、画面の色調を調整する（ステップＳ３０４）。例えば、色調調整部２２３は、医用画像を表示している領域以外の部分について、「青色」と補色関係にある色である緑色を含む色調に調整する。
【００７６】
なお、上述の処理手順は、上述の順番に限定されるものではなく、処理内容を矛盾させない範囲で適宜変更しても良い。例えば、上述のステップＳ３０２の前に、医用画像を表示されてから所定の時間が経過したかを判定するステップを実行しても良い。この場合、経過したと判定した場合には、図１３におけるステップＳ３０２に進み、経過していないと判定した場合には、処理を終了し、又は、ステップＳ３０１に戻って処理を繰り返す。
【００７７】
（第２の実施形態による効果）
上述したように、第２の実施形態によれば、情報表示装置２００は、医用画像を含む画面を表示し、表示部１０３により表示される医用画像に含まれる色に基づいて、表示部１０３により表示される画面の色調を調整する。この結果、画面の状態を適切に設定することが可能である。
【００７８】
また、第２の実施形態によれば、情報表示装置２００は、医用画像に含まれる色と補色関係にある色を含む色調になるように、画面の色調を調整する。この結果、利用者に発生する補色残像を軽減することが可能である。
【００７９】
また、第２の実施形態によれば、情報表示装置２００は、医用画像において利用者により注視される部分に含まれる色と補色関係にある色を含む色調になるように、画面の色調を調整する。この結果、利用者に発生する補色残像を高確率にて軽減することが可能である。
【００８０】
（第３の実施形態）
第３の実施形態に係る情報表示装置３００について説明する。情報表示装置３００は、以下に詳細に説明するように、医用情報を含む複数の画面を表示部１０３が表示する際に、画面各々の明るさを調整する。
【００８１】
図１４は、第３の実施形態に係る情報表示装置の構成の一例を示すブロック図である。図１４に示すように、情報表示装置３００は、通信部１０１と、操作部１０２と、表示部３０１と、制御部３２０とを有する。
【００８２】
表示部３０１は、医用情報を含む画面を複数表示する。図１５は、第３の実施形態における表示部により表示される画面各々の一例を示す図である。図１５において、９０〜９５は、それぞれ、アプリケーションの画面を示す。また、図１５に示す例では、９５は、医用画像を含む画面である場合を例に示した。なお、図１５に示す例では、表示部３０１が６個の画面を表示する場合を例に示したが、これに限定されるものではない。例えば、表示部３０１は、２個〜５個の画面を表示しても良く、７個以上の画面を表示しても良い。
【００８３】
図１４の説明に戻る。制御部３２０は、通信部１０１、操作部１０２及び表示部３０１と接続される。制御部３２０は、各種の処理手順などを規定したプログラムを記憶する内部メモリを有し、種々の処理を制御する。制御部３２０は、例えば、ＡＳＩＣ、ＦＰＧＡ、ＣＰＵ、ＭＰＵなどが該当する。制御部３２０は、図１４に示す例では、表示制御部１２１と、操作内容監視部１２２と、画面選択部３２１と、明度算出部３２２と、明るさ調整部３２３とを有する。
【００８４】
画面選択部３２１は、表示部３０１により表示されている画面各々のうち、利用者による利用頻度が最も高い画面を選択する。例えば、画面選択部３２１は、操作内容監視部１２２により監視された操作内容に基づいて、画面各々について利用者による所定時間当たりの操作頻度を算出し、算出された操作頻度が最も高い画面を選択する。また、例えば、画面選択部３２１は、画面がアクティブな時間を画面ごとに計測し、アクティブな時間が最も長かった画面を選択する。
【００８５】
具体的な状況の一例をあげて説明する。例えば、図１５において、利用者が画面９１のアプリケーションを他の画面アプリケーションと比較して高頻度に利用するものとして説明する。すなわち、例えば、内科医が、様々な画面を表示部３０１に表示させた状態において、主に、診療入力アプリケーションの画面を利用しているような状況が該当する。この場合、内科医は、診療入力アプリケーションの画面以外の画面のアプリケーションを利用しないわけではないが、診療入力アプリケーションと比較して利用頻度が低いと考えられる。そこで、画面選択部３２１は、診療入力アプリケーションの画面を選択する。
【００８６】
明度算出部３２２は、表示部３０１に表示させている画面の明るさに関する値を画面ごとに算出する。例えば、明度算出部３２２は、画面の明るさに関する値として、画面を形成する画素各々の輝度を合計し、合計した値を画面の面積で除算した値を算出する。
【００８７】
また、例えば、明度算出部３２２は、画面を形成する画素各々について、明るさを示す値として「（Ｒ＋Ｇ＋Ｂ）／３」を算出する。そして、図１６に示すように、明度算出部３２２は、明るさを示す値と、明るさを示す値ごとの分布との関係を算出する。図１６は、第３の実施形態における明るさを示す値ごとの分布の関係を示す図である。図１６に示す例では、横軸は明るさを示す値を示し、縦軸は分布を示す。分布は、「画総数／画面の面積」となる。具体的には、任意の明るさを示す値についての分布の値は、任意の明るさを示す値を取る画素の総数を、画面の面積にて除算した値となる。そして、明度算出部３２２は、画面の明るさに関する値として、分布と明るさの関係を積分した値を算出する。
【００８８】
明るさ調整部３２３は、画面選択部３２１により選択されなかった画面の明るさに関する値を、画面選択部３２１により選択された画面の明るさに関する値になるように調整する。具体的には、明るさ調整部３２３は、画面の明るさに関する値が選択された画面より低い画面については、画面の明るさに関する値が高くなるように画面を調整する。例えば、明るさ調整部３２３は、画素の明るさを示す値が全体的に高くなるように調整する。また、明るさ調整部３２３は、画面の明るさに関する値が選択された画面より高い画面については、画面の明るさに関する値が低くなるように画面を調整する。例えば、明るさ調整部３２３は、画素の明るさを示す値が全体的に低くなるように調整する。
【００８９】
上述したように、第３の実施形態に係る情報表示装置３００は、明るさの総量をユーザが主に利用しているアプリケーションに近くなるように、画面の明るさを調整する。
【００９０】
なお、情報表示装置３００は、情報表示装置１００や情報表示装置２００と同様に、既知のパーソナルコンピュータ、又はＰＤＡ（Personal  Digital  Assistant）などの情報処理装置を利用して実現しても良い。
【００９１】
（第３の実施形態に係る情報表示装置による処理）
図１７を用いて、第３の実施形態に係る情報表示装置３００による処理の詳細な一例を示す。図１７は、第３の実施形態に係る情報表示装置による処理の詳細な一例を示すフローチャートである。
【００９２】
図１７に示すように、情報表示装置３００では、画面選択部３２１は、処理開始タイミングとなると（ステップＳ４０１  Ｙｅｓ）、表示部３０１により表示されている画面各々のうち、利用者による利用頻度が最も高い画面を選択する（ステップＳ４０２）。例えば、画面選択部３２１は、画面がアクティブな時間を画面ごとに計測し、アクティブな時間が最も長かった画面を選択する。
【００９３】
そして、明度算出部３２２は、画面の明るさに関する値を、表示部３０１に表示させている画面ごとに算出する（ステップＳ４０３）。例えば、明度算出部３２２は、画面の明るさに関する値として、画面を形成する画素各々の輝度を合計し、合計した値を画面の面積で除算した値を算出する。
【００９４】
そして、明るさ調整部３２３は、画面選択部３２１により選択されなかった画面の明るさに関する値が、画面選択部３２１により選択された画面の明るさに関する値になるように、選択されなかった画面を調整する（ステップＳ４０４）。例えば、画面の明るさに関する値が選択された画面より低い画面については、画素の明るさを示す値が全体的に高くなるように調整する。一方、例えば、明るさ調整部３２３は、画面の明るさに関する値が選択された画面より高い画面については、画素の明るさを示す値が全体的に低くなるように調整する。
【００９５】
（第３の実施形態による効果）
上述したように、第３の実施形態によれば、情報表示装置３００は、医用情報を含む画面を複数表示する。また、情報表示装置３００は、表示部３０１により表示されている画面各々のうち、利用者による利用頻度が最も高い画面を選択する。そして、情報表示装置３００は、選択しなかった画面の明るさに関する値が、選択した画面の明るさに関する値になるように調整する。この結果、画面の状態を適切に設定することが可能である。すなわち、異なる用途の業務システムが混在したシステムにおいてでも、統一された明るさの下、利用者が操作することが可能である。
【００９６】
（第４の実施形態）
さて、上述した実施形態以外にも、その他の実施形態にて実施されても良い。そこで、以下では、その他の実施形態を示す。
【００９７】
（実施形態の組み合わせについて）
例えば、第１の実施形態では、作業目的に応じた色調に調整する場合について説明し、第２の実施形態では、色相関に応じた色調に調整する場合について説明し、第３の実施形態では、明るさを調整する場合について説明した。ここで、例えば、第１の実施形態〜第３の実施形態のうち、任意の複数の実施形態を組み合わせて実行しても良い。例えば、第１の実施形態〜第３の実施形態を組み合わせた情報表示装置は、図７や図１３や図１７を用いて説明した処理を、それぞれ実行する。
【００９８】
（明るさ）
また、例えば、情報表示装置３００は、周囲の明るさに基づく色調パターンを用いても良い。具体的には、情報表示装置３００は、画面の色調パターンを作業目的ごとに記憶する。また、情報表示装置３００は、医用情報を含む画面を表示する。また、情報表示装置３００は、周囲の明るさを検出する。ここで、情報表示装置３００は、周囲の明るさの検出結果に基づいて色調パターンを取得し、取得した色調パターンを用いて表示される画面の色調を調整する。
【００９９】
（システム構成）
また、本実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については（例えば、図１〜図１７）、特記する場合を除いて任意に変更することができる。
【０１００】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。図２に示す例を用いて説明すると、情報表示装置１００の記憶部１１０を外部装置としてネットワーク経由で接続するようにしても良い。また、制御部１２０の操作内容監視部１２２や作業目的判定部１２３、色調調整部１２４を別の装置が有し、ネットワーク経由で接続されて協働することで、上述した情報表示装置１００を実現しても良い。
【０１０１】
また、例えば、情報表示装置をシンクライアント（Thin  client）として実現しても良い。この場合、図２を用いて説明すると、情報表示装置１００の制御部１２０は、表示制御部１２１のみを有する。また、操作内容監視部１２２や作業目的判定部１２３、色調調整部１２４、色調情報テーブル１１１、対応付け情報テーブル１１２については、各種サーバや画像診断装置に搭載される。
【０１０２】
また、上述した実施形態では、情報を表示する情報表示装置を用いて説明したが、これに限定されるものではなく、各種の画像診断装置を用いて実現しても良い。例えば、Ｘ線診断装置やＸ線ＣＴ装置、超音波診断装置、磁気共鳴画像診断装置、核医学診断装置などに、記憶部１１０や制御部１２０などの機能を搭載することで実現しても良い。
【０１０３】
（その他］
なお、本実施形態で説明した情報表示装置は、所定の情報表示プログラムをコンピュータに実行させることで実現しても良い。また、情報表示プログラムは、インターネットなどのネットワークを介して配布することができる。また、画像表示プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１０４】
（実施形態の効果）
上述した実施形態によれば、画面の状態を適切に設定することが可能になる。
【０１０５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０６】
１００      情報表示装置
１０３      表示部
１１０      記憶部
１１１      色調情報テーブル
１１２      対応付け情報テーブル
１２０      制御部
１２１      表示制御部
１２３      作業目的判定部
１２４      色調調整部
【図１】
2012189790.tif 000003
【図２】
2012189790.tif 000004
【図５】
2012189790.tif 000005
【図６】
2012189790.tif 000006
【図７】
2012189790.tif 000007
【図８】
2012189790.tif 000008
【図９】
2012189790.tif 000009
【図１３】
2012189790.tif 000010
【図１４】
2012189790.tif 000011
【図１６】
2012189790.tif 000012
【図１７】
2012189790.tif 000013
【図３】
2012189790.tif 000014
【図４】
2012189790.tif 000015
【図１０】
2012189790.tif 000016
【図１１】
2012189790.tif 000017
【図１２】
2012189790.tif 000018
【図１５】
2012189790.tif 000019